(57)【要約】【課題】  吹出口から送風路内に異物が侵入したとき、この異物を機器本体外に排出する。【解決手段】  機器本体１の前板６に、複数段のルーバ８を有する温風の吹出口７が形成され、機器本体１内に、温風を発生させるための燃焼室３が設けられ、燃焼室３の上方から燃焼室３と前板６との間の空間を通って吹出口７に通じる送風路１０が形成される。送風路１０の下部において、燃焼室３と最下段のルーバ８との間に、送風路１０内に侵入した異物を吹出口７から排出するための排出部材１５が設けられる。排出部材１５は、最下段のルーバ８に向かって下り傾斜した傾斜面１６を有し、異物が傾斜面１６を滑り落ちる。【選択図】  図１
2005043023.tif 000002
【特許請求の範囲】
【請求項１】
吹出口が形成された機器本体に、温風発生手段が設けられ、前記吹出口に通じた温風の送風路が形成され、該送風路内に侵入した異物を前記吹出口に導く排出部材が設けられたことを特徴とする温風暖房機。
【請求項２】
機器本体の前面に、吹出口が形成され、機器本体内に、温風発生手段と、該温風発生手段の上方から前方を通って前記吹出口に至る送風路とが設けられ、該送風路の前記吹出口近傍に、送風路内に侵入した異物を前記吹出口から排出するための排出部材が設けられたことを特徴とする温風暖房機。
【請求項３】
前記吹出口に、複数段のルーバが設けられ、排出部材は、最下段の前記ルーバに近接して配されたことを特徴とする請求項１または２記載の温風暖房機。
【請求項４】
機器本体の前板に、温風の吹出口が形成され、該吹出口に、複数段のルーバが設けられ、機器本体内に、温風を発生させるための加熱室が設けられ、該加熱室と前記前板との間の空間に前記吹出口に通じる送風路が形成され、該送風路の下部における前記加熱室とルーバとの間に、前記送風路内に侵入した異物を前記吹出口から排出するための排出部材が設けられたことを特徴とする温風暖房機。
【請求項５】
前記排出部材は、異物が滑り落ちるように、吹出口に向かって下っていく傾斜面を有することを特徴とする請求項１〜４のいずれかに記載の温風暖房機。
【請求項６】
前記排出部材は、異物が滑り落ちるように、吹出口に向かって下っていく傾斜面を有し、該傾斜面の前端が、最下段のルーバの後端よりも上方に位置することを特徴とする請求項３または４記載の温風暖房機。
【請求項７】
前記排出部材が、最下段のルーバに一体的に形成されたことを特徴とする請求項３、４または６記載の温風暖房機。
【請求項８】
最下段のルーバとその上段のルーバとの空間寸法は、他の隣り合うルーバ間の空間寸法より大きいことを特徴とする請求項３、６または７記載の温風暖房機。
【請求項９】
排出部材上に落ちた異物を強制的に排出する排出手段が設けられたことを特徴とする請求項１〜８のいずれかに記載の温風暖房機。
【発明の詳細な説明】
【技術分野】
【０００１】
本発明は、内部で発生させた温風を送風路を通じて吹出口から吹き出す温風暖房機に関する。
【背景技術】
【０００２】
温風暖房機では、電気、ガスあるいは灯油を使用した熱源により、送風機によって吸い込んだ空気を加熱して、温風を発生させる。この温風は送風路を通って吹出口から室内に吹き出される。
【０００３】
吹出口は、機器本体の前板の下部に形成され、吹出口には、水平方向に複数段の横ルーバが装着されている。横ルーバによって温風の吹出方向が規制され、温風が床面に沿って吹き出される。さらに、横ルーバは、吹出口から異物が入り込むのを防いでいる。
【０００４】
しかし、隣り合う横ルーバの間には隙間があるので、異物が侵入することは避けられない。侵入した異物が可燃物であれば、熱源によって熱せられ、発火するおそれがある。これに対し、特許文献１では、長手方向のルーバにリブを設け、ルーバの間に異物が入ったときに、リブを介してルーバが変形したことを検出し、運転を停止している。また、特許文献２では、吹出口に蓋を設け、使用しないときには蓋をしている。
【特許文献１】特開平３−５４３９３号公報
【特許文献２】実開平４−１３６３号公報
【発明の開示】
【発明が解決しようとする課題】
【０００５】
従来では、異物が侵入したときに運転を停止したり、あるいは異物が侵入しないような対策が取られている。しかし、万が一、異物が送風路内に入ってしまった場合、これを取り出すことについては考慮されていない。
【０００６】
そこで、本発明は、上記に鑑み、送風路内に侵入した異物を簡単に取り出すことができるようにした温風暖房機の提供を目的とする。
【課題を解決するための手段】
【０００７】
本発明は、吹出口が形成された機器本体に、温風発生手段が設けられ、前記吹出口に通じた温風の送風路が形成され、該送風路内に侵入した異物を前記吹出口に導く排出部材が設けられたものである。
【０００８】
排出部材は、送風路内において異物が引っ掛からないように、その移動を助長して吹出口までガイドするものである。排出部材を設けることにより、吹出口から誤って異物が送風路内に侵入したとき、異物は吹出口まで導かれる。そして、異物はそのまま吹出口から機器本体外に排出されるか、あるいは人手によって異物を吹出口から取り出して排出する。
【０００９】
送風路は、機器本体内に、温風発生手段の上方から前方を通って吹出口に至るように設けられ、送風路の吹出口近傍に、排出部材は配置される。送風路は吹出口に向かって下向きに形成されるので、侵入した異物は落下することになる。そのため、吹出口近傍に排出部材を配置すれば、送風路内の異物は落下して排出部材に達する。したがって、異物を吹出口に導くことができる。
【００１０】
また、吹出口には、複数段のルーバが設けられている。排出部材を最下段のルーバに近接して配することにより、排出部材が温風の通過を妨げることはない。
【００１１】
温風発生手段として、機器本体内に温風を発生させるための加熱室が設けられる。加熱室と吹出口が形成された前板との間の空間に送風路が形成され、送風路の下部における加熱室と吹出口のルーバとの間に、排出部材が配置される。上記のような構造であれば、送風路内に侵入した異物は加熱室と前板との間に落ちて、残留することになる。ここに排出部材があれば、異物は吹出口に向かってガイドされ、排出することができる。
【００１２】
そのため、排出部材は、吹出口に向かって下っていく傾斜面を有するものとする。異物は傾斜面に沿って滑り落ちる。したがって、異物を自動的に排出することができる。さらに、排出部材の傾斜面の前端は、最下段のルーバの後端よりも上方に位置する。異物が傾斜面を滑り落ちるとき、ルーバに引っ掛からず、スムーズに移動する。
【００１３】
最下段のルーバとその上段のルーバとの空間寸法を他の隣り合うルーバ間の空間寸法より大きくする。隣り合うルーバの間を通り抜けて侵入した異物が排出部材によって吹出口まで導かれたとき、異物は最下段のルーバとその上段のルーバとの間を引っ掛かることなく通り抜け、排出される。
【００１４】
排出部材を最下段のルーバに一体的に形成することも可能である。また、排出部材上に落ちた異物を強制的に排出する排出手段を設ける。これによって、異物を確実に排出することができる。
【発明の効果】
【００１５】
本発明によると、送風路内に異物が侵入したとしても、排出部材によって異物を吹出口まで導き、外部に排出することができる。したがって、ルーバが設けられた吹出口から侵入可能な異物であれば、確実に吹出口から排出することができ、送風路内に異物が残留するようなことがなくなり、安全性が向上する。
【発明を実施するための最良の形態】
【００１６】
本実施形態の温風暖房機を図1、２に示す。機器本体１の内部に、灯油、ガスを燃料とする燃焼装置２が設けられ、その上方に燃焼室（加熱室）３が設けられる。機器本体１の背面に吸込口４が形成され、吸込口４の近傍に送風機５が設けられる。機器本体１の前板６に吹出口７が形成され、吹出口７には、複数段のルーバ８が設けられる。ルーバ８は、水平方向に延びた横長状とされ、吹出口７の周縁にルーバ枠が固定され、ルーバ８の両端が、ルーバ枠に取り付けられる。なお、ルーバ８は、固定式、角度を変えれる可変式のいずれであってもよい。
【００１７】
燃焼装置２は、バーナ、気化器、燃料供給装置等によって構成され、この燃焼装置２、燃焼室３、送風機５によって温風発生手段が構成される。すなわち、燃焼装置２において燃料が燃焼して、燃焼室３内の空気を加熱する。送風機５によって吸込口４から室内空気が吸い込まれ、燃焼室３に向かって吹き付けられる。この空気と加熱された空気とが混合されて、温風が生じる。温風は、吹出口７から室内に吹き出される。
【００１８】
上記のように発生した温風を吹出口７に導く送風路１０が、機器本体１内に燃焼室３を取り囲むように形成されている。燃焼室３の前面３ａは、下部が前方に突き出すように傾斜している。燃焼室３の前側にはフランジ１１が形成され、フランジ１１は、前側に向かって水平に延びている。フランジ１１の前端は、吹出口７の下縁を形成する下板１２に重ね合わせられ、機器本体１と燃焼室３との間の隙間を塞いでいる。そして、燃焼室３は機器本体１の中央に位置して、その後方、上方および前方に空間がある。送風路１０は、これらの空間を利用して形成される。吹出口７は、燃焼室３の前方に位置しており、送風路１０は、燃焼室３の上方から前方を通り、斜めに下がって水平に向きを変え、吹出口７に至る。燃焼室３とルーバ８との間である、吹出口７の近傍において、送風路１０の下部は平坦部となっている。
【００１９】
ここで、上下に隣り合うルーバ８は、一定の間隔で配置される。そのため、各ルーバ８の隙間から異物が送風路１０に侵入する可能性がある。このように侵入した異物を排出するために、送風路１０内に排出部材１５が設けられる。なお、異物とは、通常は挿入されるものではなく、幼児や年少者がいたずら等によって故意に挿入する物品であって、例えば消しゴム、鉛筆、コイン等があげられる。
【００２０】
排出部材１５は、送風路１０の下部に位置して、燃焼室３とルーバ８との間に配され、左右両側において下板１２にねじ止めされる。排出部材１５は、図１、３に示すように、長方形の金属板を折り曲げて形成され、吹出口７に面する傾斜面１６とこれに連続した垂直面１７とを有する。なお、左右には、側面を形成して、閉塞した形状とする。
【００２１】
長方形をした傾斜面１６は、燃焼室３から最下段のルーバ８までの間を覆う。傾斜面１６の上端は、燃焼室３の前面に接する。傾斜面１６の前端は最下段のルーバ８の後端に近接する。傾斜面１６の前端とルーバ８の後端とは、接触してもよく、あるいは少しの隙間、例えば１ｍｍ程度の隙間があってもよく、異物が入らないような隙間にする。さらに、上下方向において、傾斜面１６の前端は、ルーバ８の後端と略同一の高さ、あるいは前端が後端よりわずかに高い位置とする。垂直面１７は、下板１２に近接する長さとされる。また、傾斜面１６には、長孔状に開口した覗き窓１８が形成され、燃焼室３の前面３ａを通してバーナの燃焼状態を視認できる。傾斜面１６の角度は、５０度とするが、これに限るものではなく、燃焼室３の前面３ａとルーバ８との距離に応じて角度は設定される。
【００２２】
このようにして、送風路１０の平坦部が排出部材１５によって覆われる。送風路１０に設けられた排出部材１５を前方から見ると、図２に示すようになり、排出部材１５が吹出口７の下部に臨み、傾斜面１６だけがルーバ８の隙間から見える。ルーバ８の隙間から異物が送風路１０内に侵入したとき、吹出口７近傍では送風路１０は斜め下がりに形成されているので、異物は送風路１０の奥には行かず、そのまま落下するか、あるいは燃焼室３の前面３ａに当たって滑り落ちる。落ちた異物は、排出部材１５に当たり、その傾斜面１６を滑り落ちる。そのため、異物が送風路１０の平坦部に落下することはない。
【００２３】
異物は、傾斜面１６に沿って吹出口７に導かれ、最下段のルーバ８とその上段のルーバ８との間にくる。異物が両ルーバ８の隙間の寸法より小さければ、異物はそのままルーバ８の間から外に飛び出して、自動的に排出される。異物が両ルーバ８の隙間の寸法より大きければ、異物はルーバ８に当たって止まる。この場合、ルーバ８を押し広げて、異物を取り出せばよい。
【００２４】
そこで、最下段のルーバ８とその上段のルーバ８との隙間の空間寸法を、他の隣り合うルーバ８の隙間の空間寸法より大きくする。このようにすれば、上方にあるルーバ８の間を通り抜けて送風路１０内に侵入した異物は、排出部材１５によって吹出口７に導かれたとき、最下段のルーバ８とその上段のルーバ８との間を必ず通り抜けることになる。したがって、侵入した異物を確実に排出することができる。
【００２５】
また、異物が排出部材１５の傾斜面１６を滑り落ちて前端に達したとき、傾斜面１６からルーバ８にかけて連続した面のようになっているので、異物はルーバ８に引っ掛かることはない。したがって、異物をスムーズに吹出口７から排出することができる。より確実に異物を排出できるようにするためには、傾斜面１６の前端がルーバ８の後端よりも上方に位置することが好ましい。
【００２６】
ところで、排出部材１５は、別部材として送風路１０に設けたが、図４に示すように、最下段のルーバ８の後端を燃焼室３に向かって延伸するように形成して、排出部材１５としてもよい。このように排出部材１５をルーバ８に一体化すれば、ルーバ８を装着することにより、排出部材１５も設置でき、排出部材１５を取り付ける作業が不要となる。ただし、最下段のルーバ８は、固定式とする。
【００２７】
なお、本発明は、上記実施形態に限定されるものではなく、本発明の範囲内で上記実施形態に多くの修正および変更を加え得ることは勿論である。温風暖房機は、熱源にヒータを用いたものであってもよい。排出部材は、別部材として設けたが、機器本体の一部を利用して形成してもよい。例えば、燃焼室の前面の下部を吹出口に向かって突出させたり、下板を傾斜させたりして、平坦部をなくして傾斜面とする。
【００２８】
また、上記実施形態では、異物は自重によって滑り落ちるように排出されるが、排出部材上に落ちた異物を強制的に排出する排出手段を設けてもよい。すなわち、排出手段は、排出部材を振動させるものとし、排出部材の上面を水平あるいは少し傾斜した状態にして、排出部材をモータ、超音波振動子等によって振動させ、上面に載った異物をルーバに向けて送り出す。あるいは、排出部材が異物を排出するときの傾斜姿勢と異物を受けるときの待機姿勢とに切り替え可能とする。排出部材の後端側を回転自在に支持して、待機姿勢において、排出部材の上面は水平な状態となるようにばねで上方に付勢しておく。異物が落ちてきたとき、その荷重により上面が傾いて傾斜姿勢となり、ルーバ上へ異物を滑り落とす。異物が排出されると、ばねの付勢力によって上面が水平になるように排出部材を持ち上げる。このように、排出部材の上面を水平にしておけば、ルーバに隠れて外から見なくすることができる。
【図面の簡単な説明】
【００２９】
【図１】本発明の温風暖房機の概略断面図
【図２】温風暖房機の正面側
【図３】排出部材の正面図
【図４】他の形態の排出部材を示す図
【符号の説明】
【００３０】
１    機器本体
３    燃焼室
７    吹出口
８    ルーバ
１０    送風路
１５    排出部材
１６    傾斜面
【図１】
2005043023.tif 000003
【図２】
2005043023.tif 000004
【図３】
2005043023.tif 000005
【図４】
2005043023.tif 000006